(57)【特許請求の範囲】
【請求項１】
歯科根管治療の根管充填に用いるシステムであって、
根管形成された根管に適合する適度な弾性を備え歯種や根管の解剖学的形態に適合する形状の光拡散樹脂ファイバー状ポイント部と、他端の集光樹脂プリズム部を移行的に一体成型あるいは連結したロート形状のマスターポイントと、
前記マスターポイントポイント部光拡散樹脂より発光される可視光線あるいは紫外線によって重合する象牙質接着剤と、
同様にマスターポイントポイント部光拡散樹脂より発光される可視光線あるいは紫外線によって重合する光硬化樹脂と、
を含み、
感染歯髄、壊死歯髄あるいは感染象牙質を除去清掃し、根管形成完了後、根管内面に象牙質接着剤を塗布した根管内に光硬化樹脂を流し込み、その根管の根尖までマスターポイント光拡散樹脂ファイバー状ポイント部を挿入し、他端の集光樹脂プリズム部に可視光線あるいは紫外線を照射する事によって光拡散樹脂ファイバー状ポイント部を全面発光させ、象牙質接着剤および光硬化樹脂を光重合することによって、光拡散樹脂ファイバー状ポイント部を、根尖孔および根管と化学的に結合接着し根尖孔を閉塞し、根管内面と化学的に結合したマスターポイント光拡散樹脂ファイバー状ポイントを根管内に残し、マスターポイントロート状形部２とマスターポイント集光プリズム部１をマスターポイント切断面７で削り取り根管充填を完了する根管充填システム。
【発明の詳細な説明】
【０００１】
【発明の属する技術分野】
本発明は歯科根管治療の根管充填にシステムに関するものである。
【０００２】
【従来の技術】
一般に、歯科根管治療の根管充填には、糊材、ガッタパーチャ、銀ポイント、化学重合樹脂、ジンクオキサイトセメントなどが単独あるいは併用使用されていたが、細い根管を死空無く完全に充填閉塞することは困難であるばかりか、各種根管充填剤は硬化するまでは組織に対して異害作用があり過剰根管充填によって組織内に漏洩あるいは突出した場合は、歯周組織に炎症反応を起こした。
【０００３】
【発明が解決しようとする課題】
しかしながら、前述の如く、微細で屈曲した根管に対してガッタパーチャを用いて死空無く加圧根管充填閉塞することは高度な技術と膨大な作業時間を要し、断面が円形のガッタパーチャマスターポイントとガッタパーチャアクセサリーポイントに化学重合樹脂、ジンクオキサイトセメントなどのシーラーを併用する場合、根尖よりシーラーが漏れ出ると歯周組織に炎症を起こした。さらに、根尖部分がガッタパーチャ自体によって機械的に閉塞されていない場合、シーラー硬化後も根尖周囲の組織液によって分解吸収されると根尖部に死空を形成することとなる。
【０００４】
本発明は、斯かる実情に鑑み、根管内で即時硬化し、根尖から根管充填剤が突出あるいは死空を形成することなく根管充填深度を容易に調節可能とし、さらに、根管充填材と根管内象牙質が接着することによって完全に根尖および根管壁を閉塞する根管充填材と根管充填システムを提供しようとするものである。
【０００５】
【課題を解決するための手段および効果】
本発明は、一端に光源から発光される可視光線あるいは紫外線などの光を集光収束する集光樹脂を備えるプリズム部と、そのプリズム部他端が根管形成された根管に適合する適度な弾性を持つファイバー状に光拡散樹脂で成形されたポイント部が移行的に連結されたロート状形のマスターポイント部のプリズム部小口に可視光線あるいは紫外線を投光すると、光拡散樹脂で成形されたファイバー状のポイント部が均等に発光する。
【０００６】
このマスターポイントを使用して、感染歯髄、壊死歯髄あるいは感染象牙質を除去清掃し根管形成が終了した根管内壁にあらかじめ象牙質接着剤を塗布した根管内に光硬化樹脂を満たし、光拡散樹脂で成形された前記マスターポイントのファイバー状のポイント部を同根管根尖部まで挿入してプリズム部小口に可視光線あるいは紫外線を照射することによって根管口からでは光の到達しにくい根尖部まで光硬化樹脂および象牙質接着剤を光重合するのでモノマーを残留させることなく根管を物理的に完全に閉塞することが可能となる。
【０００７】
【発明の実施の形態】
以下、本発明の実施の形態を図示例と共に説明する。
図１〜図６は発明を実施する形態の一例であって、図中、図と同一の符号を付した部分は同一物を表わしており、基本的な構成は図４から図６に示す従来の根管充填と同様であるが、本図示例の特徴とするところは、図１に示す如く、歯科根管治療根管充填時に光重合器光源部８の発光する可視光線あるいは紫外線を重合器光ファイバー部９でマスターポイント１０に照射することによって、このマスターポイント１０は図２と図３に示すようにマスターポイントロート形状部２で一端のマスターポイント集光プリズム部１と他端のマスターポイント光拡散樹脂ファイバー状ポイント部３が移行的に一体成型あるいは連結されているので、重合器から照射された光はマスターポイント光拡散樹脂ファイバー状ポイント部３全周から発光し、細い根管内の隅々まで光を到達させ象牙質接着剤５と光硬化樹脂６を光重合せしめる事を可能とした点にある。
【０００８】
次に、上記図示例の治療手順を説明する。
治療は図４に示すように感染歯髄、壊死歯髄あるいは感染象牙質を除去清掃し根管形成が終了した根管内壁にあらかじめペーパーポイント４などを用いて象牙質接着剤５を塗布する。次に、図５に示すように根管口１３から根尖口１４まで光硬化樹脂６を注入した根管にマスターポイント光拡散樹脂ファイバー状ポイント部３が根尖口１４まで到達するようにマスターポイントを根管内に挿入しマスターポイント集光プリズム部１に光を照射し象牙質接着剤５と光硬化樹脂６を重合する。最後に、図６に示すように重合した光硬化樹脂６と化学的に結合したマスターポイント光拡散樹脂ファイバー状ポイント部３を根管内に残してマスターポイントロート形状部２とマスターポイント集光プリズム部１をマスターポイント切断面７で削り取り根管充填を完了する。
【０００９】
こうして、根管は根管口１３から根尖口１４まで象牙質接着剤５と光硬化樹脂６によって緊密に閉塞される。
尚、本発明の光拡散樹脂ファイバーと光硬化樹脂および象牙質接着剤を応用した歯科根管充填システムは、上述の図示例にのみ限定されるものではなく、本発明の要旨を逸脱しない範囲内においてマスターポイントの形状などは歯種や根管の解剖学的形態に応じて種々変更を加え得ることは勿論である。
【図面の簡単な説明】
【図１】  光拡散樹脂ファイバー状ポイントと光硬化樹脂および象牙質接着剤を応用した歯科根管充填システム使用状況
【図２】  マスターポイント部側面図
【図３】  マスターポイント部を根尖方向から見た図
【図４】  ペーパーポイントを用いて象牙質接着剤を根管壁に塗布している状態を示す断面図
【図５】  象牙質接着剤を塗布した根管に光硬化樹脂を流し込み、光拡散樹脂ファイバー状ポイントを挿入した状態を示す断面図
【図６】  光硬化樹脂および象牙質接着剤を光重合して光拡散樹脂ファイバー状ポイント部と一体化し、根管を閉塞したのちに余剰マスターポイントを切断し根管充填を完了した状態を示す断面図
【符号の説明】
１、 マスターポイント集光プリズム部
２、 マスターポイントロート形状部
３、 マスターポイント光拡散樹脂ファイバー状ポイント部
４、 ペーパーポイント
５、 象牙質接着剤
６、 光硬化樹脂
７、 マスターポイント切断面
８、 光重合器光源部
９、 重合器光ファイバー部
１０、マスターポイント
１１、エナメル質
１２、象牙質
１３、根管口
１４、根尖口
２０、頭蓋骨
２１、眼窩
２２、上顎骨
２３、下顎骨
２４、下顎大臼歯（根管治療歯牙）
２５、上顎前歯
２６、下顎前歯
【図１】
0004093750.tif 000002
【図２】
0004093750.tif 000003
【図３】
0004093750.tif 000004
【図４】
0004093750.tif 000005
【図５】
0004093750.tif 000006
【図６】
0004093750.tif 000007